(57)【要約】【課題】合成樹脂製のランプフレームをビスを使用しないで金属製のリアフレームに取付ける際に、ランプフレームから削れ屑が発生するのを抑制できるように改良した液晶モジュールを提供する。【解決手段】ランプフレーム５の底部に、係合手段として、垂下部５ｈとその下端の水平部５ｉとからなる係合脚部５ｊを設け、リアフレーム１の底板１ｂに、係合手段として、穴部１ｉと該穴部からリアフレームの側板１ａに向かって延びるスリット部１ｈとからなる被係合開口部１ｊを設け、係合脚部を被係合開口部の穴部に挿入してスリット部内をスライドさせることにより、係合脚部の水平部を被係合開口部のスリット部の側縁部に下方から係合させてランプフレームを取付けた液晶モジュールとする。上記のスライド式の取付構造としてランプフレーム５からの削れ屑の発生を抑制する。【選択図】図４
2010271659.tif 000002
【特許請求の範囲】
【請求項１】
金属製のリアフレームの内部に光反射シートと冷陰極管を設け、リアフレームの相対向する側板の内側に合成樹脂製のランプフレームを設け、冷陰極管の上方に光学シートと液晶パネルを重ねて設けると共に、液晶パネルの四周縁をベゼルで囲んだ液晶モジュールにおいて、
上記ランプフレームの底部に係合手段を設ける一方、これに対応して、上記リアフレームの底板に、上記係合手段をリアフレームの側板に向かってスライドさせると上記係合手段が下方から係合する被係合手段を設け、上記係合手段をリアフレームの側板に向かってスライドさせることにより、上記係合手段を上記被係合手段に下方から係合させて上記ランプフレームを上方に離脱しないように取付けたことを特徴とする液晶モジュール。
【請求項２】
上記ランプフレームの底部に、上記係合手段として、垂下部とその下端の水平部とからなる係合脚部を設ける一方、これに対応して、上記リアフレームの底板に、上記被係合手段として、穴部と該穴部からリアフレームの側板に向かって延びるスリット部とからなる被係合開口部を設け、ランプフレームの係合脚部をリアフレームの被係合開口部の穴部に上方から挿入してリアフレームの側板に向かってスリット部内をスライドさせることにより、上記係合脚部の水平部を上記被係合開口部のスリット部の側縁部に下方から係合させて上記ランプフレームを上方に離脱しないように取付けたことを特徴とする請求項１に記載の液晶モジュール。
【請求項３】
上記ランプフレームの後面に係止爪を突設する一方、これに対応して上記リアフレームの相対向する側板に開口を形成し、上記係止爪をリアフレームの側板の内側から上記開口に挿通して上記開口の口縁部に外側から係止させたことを特徴とする請求項１又は請求項２に記載の液晶モジュール。
【発明の詳細な説明】
【技術分野】
【０００１】
本発明は、テレビ、パソコンその他の電子機器に組み込まれる液晶モジュールに関し、特に、合成樹脂製のランプフレームをビスを使用しないで金属製のリアフレームに取付ける際に、ランプフレームから削れ屑が発生するのを抑制できるように改良した液晶モジュールに関する。
【背景技術】
【０００２】
従来より、直下ライト方式の液晶モジュールの一つとして、金属製のリアフレームの内部に光反射シートと冷陰極管を設け、リアフレームの相対向する側板の内側に合成樹脂製のランプフレームを設け、冷陰極管の上方に光学シートと液晶パネルを重ねて設けると共に、液晶パネルの四周縁をベゼルで囲んだものが知られている。
【０００３】
しかしながら、上記の液晶モジュールは、ランプフレームを数本のビスでリアフレームに取付けているため、このビスによるリアフレームの取付作業が面倒で時間がかかり、ビス代も嵩むことから、作業性の低下並びにコストアップを招くという問題があった。
【０００４】
そこで、本出願人は、図１０に示すように、ランプフレーム５の前板部の下端に前方へ突き出す係止片５ｋを形成し、このランプフレーム５の係止片５ｋを、これに対応してリアフレーム１の底板に形成した係合孔１ｍに一点鎖線で示すように上方から挿入したまま、該係止脚片５ｋを支点にしてランプフレーム５を回転させることにより、係止片５ｋを係合孔１ｍの孔縁部に下方から係止させてランプフレーム５をリアフレーム１の相対向する側壁１ａ，１ｄの内側にそれぞれ取付けるようにした液晶モジュールを既に提案した（特許文献１，２）。
【先行技術文献】
【特許文献】
【０００５】
【特許文献１】特開２００９−３１４０号公報
【特許文献２】特開２００９−３１４１号公報
【発明の概要】
【発明が解決しようとする課題】
【０００６】
上記特許文献１，２の液晶モジュールは、ビスを使用しないでランプフレームを簡単に取付けることができるため、組立作業性の向上とコストダウンを達成できるものであるが、上記のようにリアフレーム１の係合孔１ｍに挿入したランプフレーム５の係止片５ｋを支点にしてランプフレーム５を回転させて取付けると、支点にした合成樹脂製の係止片５ｋが金属製のリアフレーム１の係合孔１ｍの孔縁で削られて削れ屑が発生し、この削れ屑がリアフレームの内部に侵入するという不都合があった。
【０００７】
本発明は上記事情の下になされたもので、その解決しようとする課題は、合成樹脂製のランプフレームをビスを使用しないで金属製のリアフレームに取付ける際に、ランプフレームから削れ屑が発生するのを抑制できるように改良した液晶モジュールを提供することにある。
【課題を解決するための手段】
【０００８】
上記課題を解決するため、本発明に係る液晶モジュールは、金属製のリアフレームの内部に光反射シートと冷陰極管を設け、リアフレームの相対向する側板の内側に合成樹脂製のランプフレームを設け、冷陰極管の上方に光学シートと液晶パネルを重ねて設けると共に、液晶パネルの四周縁をベゼルで囲んだ液晶モジュールにおいて、上記ランプフレームの底部に係合手段を設ける一方、これに対応して、上記リアフレームの底板に、上記係合手段をリアフレームの側板に向かってスライドさせると上記係合手段が下方から係合する被係合手段を設け、上記係合手段をリアフレームの側板に向かってスライドさせることにより、上記係合手段を上記被係合手段に下方から係合させて上記ランプフレームを上方に離脱しないように取付けたことを特徴とするものである。
【０００９】
本発明の液晶モジュールにおいては、上記ランプフレームの底部に、上記係合手段として、垂下部とその下端の水平部とからなる係合脚部を設ける一方、これに対応して、上記リアフレームの底板に、上記被係合手段として、穴部と該穴部からリアフレームの側板に向かって延びるスリット部とからなる被係合開口部を設け、ランプフレームの係合脚部をリアフレームの被係合開口部の穴部に上方から挿入してリアフレームの側板に向かってスリット部内をスライドさせることにより、上記係合脚部の水平部を上記被係合開口部のスリット部の側縁部に下方から係合させて上記ランプフレームを上方に離脱しないように取付けることが好ましい。
【００１０】
そして、上記ランプフレームの後面に係止爪を突設する一方、これに対応して上記リアフレームの相対向する側板に開口を形成し、上記係止爪をリアフレームの側板の内側から上記開口に挿通して上記開口の口縁部に外側から係止させることが好ましい。
【発明の効果】
【００１１】
本発明の液晶モジュールは、ビスを使用しないで、ランプフレームの底部の係合手段をリアフレームの側板に向かってスライドさせることにより、該係合手段をリアフレームの底板の被係合手段に下方から係合させてランプフレームを上方に離脱しないように取付けているため、前記特許文献１，２の液晶モジュールと同様に、組立作業性の向上とコストダウンを達成できる。しかも、本発明の液晶モジュールのように、ランプフレームの係合手段をリアフレームの側板の方へスライドさせてリアフレームの被係合手段に下方から係合させるスライド式の取付構造にすると、ランプフレームの係合手段がリアフレームの被係合手段によって削られることが殆どなくなり、前記特許文献１，２のような回転式の取付構造に比べて、削れ屑の発生を大幅に減少させることができる。そして、係合手段から削れ屑が若干発生しても、係合手段はランプフレームの底部に設けられているため、削れ屑はランプフレームの内側にとどまり、リアフレームの内部中央側へ侵入することはない。
【００１２】
特に、係合手段として上記の如き垂下部とその下端の水平部とからなる係合脚部をランプフレームの底部に設け、被係合手段として上記の如き穴部と該穴部からリアフレームの側板に向かって延びるスリット部とからなる被係合開口部をリアフレームに設けた液晶モジュールは、これらの係合脚部および被係合開口部の構造が簡単で形成し易く、しかも、係合脚部を被係合開口部の穴部に挿入してスリット部内をスライドさせながら、係合脚部の水平部をスリット部の側縁部に下方から係合させる簡単な作業によって、ランプフレームを上方に離脱しないように確実に取付けることができる。
【００１３】
更に、ランプフレームの後面に突設した係止爪を、これに対応してリアフレームの相対向する側板に形成した開口に該側板の内側から挿通して、該開口の口縁部に外側から係止させた液晶モジュールは、ランプフレームをリアフレームの側板から内方にも移動しないように固定することができる。
【図面の簡単な説明】
【００１４】
【図１】本発明の一実施形態に係る液晶モジュールの分解斜視図である。
【図２】同液晶モジュールの断面図である。
【図３】ベゼル、液晶パネル、セルガイド、光学シートを除去した同液晶モジュールの平面図である。
【図４】同液晶モジュールのリアフレームとランプフレームの分解部分斜視図である。
【図５】（ａ）及び（ｂ）は同液晶モジュールのランプフレームの平面図及び背面図である。
【図６】リアフレームに対するランプフレームの取付方を説明する部分断面図であって、（ａ）はランプフレームの係合脚部をリアフレームの被係合開口部の穴部に挿入した状態を示し、（ｂ）は係合脚部をスライドさせることにより係合脚部の水平部を被係合開口部のスリット部の側縁部に下方から係合させてリアフレームにランプフレームを取付けた状態を示す。
【図７】図６の（ｂ）におけるＡ−Ａ線部分拡大断面図である。
【図８】被係合開口部の他の例を示す斜視図である。
【図９】被係合開口部に係合した係合脚部の他の例を示す部分断面図である。
【図１０】先行技術文献のランプフレームの取付方の説明図である。
【発明を実施するための形態】
【００１５】
図１、図２に示す実施形態の液晶モジュールは、リアフレーム１、光反射シート２、Ｕ字状の冷陰極管３、ランプホルダー４、ランプフレーム５、光学シート６ａ，６ｂ、セルガイド７、液晶パネル８、ベゼル９ａ，９ｂなどの主要構成部品によって組み立てられたものである。
【００１６】
リアフレーム１は板金製の浅い箱型のフレームであって、その内部には、逆台形状に折り曲げられた光反射シート２が設けられている。この光反射シート２の上には、複数本（この実施形態では２本）のＵ字状の冷陰極管３が互いに平行に配設されており、それぞれの冷陰極管３のＵ字状屈曲端部がランプホルダー４で保持されてリアフレーム１の底板１ｂに固定されている。
【００１７】
冷陰極管３のＵ字状屈曲端部と反対側の端部にはゴム製のランプソケット３ａが取付けられており、このランプソケット３ａは、リアフレーム１の一方の短辺の側板１ａに沿ってリアフレーム１の底板１ｂに形成されたソケット嵌着口１ｃに嵌着されて、そのリード線３ｂがリアフレーム１の背後に引き出されている。そして、図１，図３に示すように、ランプソケット３ａが取付けられたＵ字状冷陰極管３の端部と、その反対側のランプホルダー４で保持されたＵ字状屈曲端部が、リアフレーム１の相対向する短辺の側板１ａ，１ｄの内側にそれぞれ取付けられた合成樹脂製のランプフレーム５，５で覆われている。このランプフレーム５の取付構造については、後で詳しく説明する。
【００１８】
図１，図２に示すように、リアフレーム１の長辺の側板１ｅ，１ｆは、いずれも逆Ｕ字状に折り曲げられて二重側板とされており、この二重側板１ｅ，１ｆの上面と前記ランプフレーム５，５の上面には、２枚の光学シート６ａ，６ｂの四周縁が載置されている。これらの光学シートは、Ｕ字状冷陰極管３からの直射光や光反射シート２からの反射光を拡散して液晶パネル８を背後から均一に照らす光拡散シートであって、上側の光学シート６ｂは薄い光拡散シートであるが、下側の光学シート６ａは撓みにくい厚手の光拡散シート（光拡散板）が使用されている。
【００１９】
これらの光学シート６ａ，６ｂの四周縁は、リアフレーム１の二重側板１ｅ，１ｆとランプフレーム５，５の上に取付けられた二本の合成樹脂製のＬ形のセルガイド７，７で押さえられており、このセルガイド７，７の上には、液晶パネル（液晶セル）８の四周縁が載置されている。そして、この液晶パネル８の四周縁は、板金製の二本の長いベゼル９ａ，９ａと二本の短いベゼル９ｂ，９ｂで方形枠状に囲まれており、これらのベゼル９ａ，９ａ，９ｂ，９ｂの両端部がリアフレーム１のコーナー部（リアフレーム１の二重側板１ｅ，１ｆの両端部）にビス止めされて、液晶モジュールが組み立てられている。
【００２０】
尚、液晶パネル８の長辺には、ソースドライバＩＣチップを搭載したＣＯＦを介してＸ側配線基板が接続され、液晶パネル８の短辺には、ゲートドライバＩＣチップを搭載したＣＯＦを介してＹ側配線基板が接続されているが、これらの配線基板は図示していない。
【００２１】
この液晶モジュールは、リアフレーム１の相対向する側板１ａ，１ｄの内側面に沿わせてランプフレーム５，５をリアフレーム１の底板１ｂに取付ける構造に大きい特徴を有する。このランプフレーム５は、図４〜図６に示すように、斜め前下がりに傾斜する前板部５ａと、水平な上板部５ｂと、垂直な後板部５ｃを、合成樹脂で一体に射出成形したものであって、前板部５ａの下端には、Ｕ字状冷陰極管３を挿通する複数（４つ）の切欠部５ｄが形成されており、後板部５ｃの下端には、Ｕ字状冷陰極管３のランプソケット３ａを挿通する複数（４つ）の切欠部５ｅが形成されている。そして、この後板部５ｃの両端寄りの外面には、一対の係止爪５ｆが突設されており、これに対応して、リアフレーム１の相対向する側板１ａ，１ｄには、係止爪５ｆを係止させる開口１ｇが一対ずつ形成されている。尚、リアフレーム１の一方の側板１ｄに沿って取付けられるランプフレーム５、即ち、冷陰極管３のＵ字状屈曲端部を覆うランプフレーム５の後板部には、ランプソケットを挿通するための上記切欠部５ｅは形成されていない。
【００２２】
図４に示すように、このランプフレーム５の後板部５ｃの中央内面には、天板部５ｂの下面から後板部５ｃの下端まで垂下するリブ板部５ｇが形成されており、このランプフレーム５の中央底部、つまり上記リブ板部５ｇの下端には、ランプフレーム５をリアフレーム１に取付けるための係合手段として、垂下部５ｈとその下端の水平部５ｉとからなる逆Ｔ字形の係合脚部５ｊが形成されている。そして、これに対応して、リアフレーム１の底板１ｂの相対向する側板１ａ，１ｄの中央近傍箇所には、被係合手段として、上記係合脚部５ｊの水平部５ｉが挿通される方形の穴部１ｉと、該穴部１ｈの中央からリアフレームの側板１ａ（又は１ｄ）に向かって延びるスリット部１ｈとからなる被係合開口部１ｊが形成されている。
【００２３】
しかして、このランプフレーム５は、図６の（ａ）に示すように、ランプフレーム５の係合脚部５ｊの水平部５ｉをリアフレーム１の被係合開口部１ｊの穴部１ｉに上方から挿入し、図６の（ｂ）に示すように、係合脚部５ｊをリアフレーム１の側板１ａ（又は１ｄ）に向かってスリット部１ｈ内をスライドさせることにより、図７に示すように、上記係合脚部５ｊの水平部５ｉを上記被係合開口部１ｊのスリット部１ｈの両側縁部に下方から係合させると共に、ランプフレーム５の係止爪５ｆをリアフレーム１の側板１ａ（又は１ｄ）の内側から開口１ｇに挿通して該開口１ｇの口縁部に外側から係止させることにより、ランプフレーム５がリアフレーム１の底板１ｂから上方に離脱しないように、且つ、側板１ａから内側へ移動しないように取付けられている。
【００２４】
上記のようなスライド式の取付構造によってランプフレーム５をリアフレーム１に取付けると、ランプフレーム５の係合脚部５ｊがリアフレーム１の被係合開口部１ｊによって削られることが殆どなくなり、前記特許文献１，２のような回転式の取付構造に比べて、削れ屑の発生を大幅に減少させることができる。そして、係合脚部５ｊから削れ屑がわずかに発生した場合でも、係合手段５ｊはランプフレーム５の内側底部、即ちランプフレーム５の内側のリブ板部５ｈの下端に設けられているため、削れ屑はランプフレーム５の内側に閉じ込められてリアフレーム１の内部中央側へ侵入することはない。
【００２５】
また、上記のような垂下部５ｈと水平部５ｉとからなる逆Ｔ字形の係合脚部５ｊや、穴部１ｉとスリット部１ｈとからなる被係合開口部１ｊは、いずれも形状が簡単で形成が容易であり、しかも、係合脚部５ｊを被係合開口部１ｊに挿入してスライドさせるだけの簡単な作業によって、係合脚部５の水平部５ｉを被係合開口部１ｊのスリット部１ｈの両側縁部に下方から係合させてランプフレーム５を上方に離脱しないように確実に取付けることができるので、係合手段及び被係合手段として好ましいものである。
【００２６】
特に、図８に示す被係合開口部１ｊのように、スリット部１ｈの幅が穴部１ｉ側の端部で拡大され、穴部１ｉのスリット部１ｈ側の側縁１ｋ，１ｋが湾曲しながら反り上がるように形成されているものは、係合脚部５を被係合開口部１ｊの穴部１ｉに挿入してスリット部１ｈ内をスライドさせるときに、係合脚部５の水平部５ｉが穴部１ｉの側縁１ｋ，１ｋのエッジによって削られることがなく、且つ、係合脚部５の垂下部５ｈがスリット部１ｈの穴部１ｉ側端部の角で削られることもないので、削れ屑の発生をほぼ確実に防止できる利点があり、極めて好ましいものである。
【００２７】
ランプフレーム５の係合脚部５は、その水平部が被係合開口部１ｊのスリット部１ｈの側縁部に下方から係合できる形状であれば、この実施形態のような逆Ｔ字形に限定されるものではなく、例えば、図９に示すように垂下部５ｈの下端から片側に水平部５ｉを形成したＬ字形の係合脚部５としてもよいものである。尚、このようなＬ字形の係合脚部５を設ける場合は、それに対応して、スリット部１ｈの端部の片側に穴部１ｉを備えた被係合開口部１ｊをリアフレーム１の底板１ｂに形成すればよいことは言うまでもない。
【００２８】
以上、代表的な実施形態を挙げて本発明の液晶モジュールを説明したが、本発明はこの実施形態のみに限定されるものではなく、例えば、ランプフレームの底部に複数の係合脚部を設け、これに対応してリアフレームの底板に複数の被係合開口部を形成するなど、種々の変更態様を許容するものである。
【符号の説明】
【００２９】
１    リアフレーム
１ａ，１ｄ  リアフレームの相対向する側板
１ｂ  リアフレームの底板
１ｇ  開口
１ｈ  被係合開口部のスリット部
１ｉ  被係合開口部の穴部
１ｊ  被係合開口部
２    光反射シート
３    Ｕ字状の冷陰極管
５    ランプフレーム
５ｆ  係合爪
５ｈ  係合脚部の垂下部
５ｉ  係合脚部の水平部
５ｊ  係合脚部
６ａ，６ｂ  光学シート
８    液晶パネル
９ａ，９ｂ  ベゼル
【図１】
2010271659.tif 000003
【図２】
2010271659.tif 000004
【図３】
2010271659.tif 000005
【図４】
2010271659.tif 000006
【図５】
2010271659.tif 000007
【図６】
2010271659.tif 000008
【図７】
2010271659.tif 000009
【図８】
2010271659.tif 000010
【図９】
2010271659.tif 000011
【図１０】
2010271659.tif 000012